(57)【特許請求の範囲】
【請求項１】
洗浄槽と、該洗浄槽の内部に設けて食器類を載置する食器かごとを備える食器洗浄乾燥機において、
前記食器かごは、前記洗浄槽に収容される基枠と、食器類を所定の姿勢で支持する食器支持部とを備え、
前記食器支持部は、第１支持部材と、該第１支持部材に対向する第２支持部材と、前記第１支持部材と前記第２支持部材とを連結するリンク部材とを備え、
前記第１支持部材は、起立状態で食器類に当接して支持する複数の第１支持ピンと、各第１支持ピンを一体に連結して水平方向に延びる第１連結基部とを備え、
前記第２支持部材は、起立状態で食器類に当接して支持する複数の第２支持ピンと、各第２支持ピンを一体に連結して水平方向に延びる第２連結基部とを備え、
前記リンク部材は、前記第１連結基部に固定されて前記第２支持部材に向かって延びる第１アーム部と、前記第２連結基部に固定されて前記第１支持部材に向かって延びる第２アーム部と、前記第１アーム部と前記第２アーム部とをその境界で屈伸自在に連結するヒンジ部とを備え、
前記第１アーム部と前記第２アーム部とが前記ヒンジ部を介して山折り状に屈曲することにより前記第１支持ピンと前記第２支持ピンとが互いに離反する方向に横倒することを特徴とする食器洗浄乾燥機。
【請求項２】
前記基枠は、前記第１連結基部を前記第１支持ピンが起立する位置と横倒する位置との間で回動自在に支持する軸受部を備え、
前記第１連結基部を軸として前記第１支持ピンを前記第２支持ピンから離反する方向に横倒させたとき、前記第１アーム部と前記第２アーム部とが前記ヒンジ部を介して山折り状に屈曲して前記第２支持部材が前記第１支持部材に近接する方向に移動しつつ前記２支持ピンが前記第１支持ピンから離反する方向に横倒することを特徴とする請求項１記載の食器洗浄乾燥機。
【請求項３】
前記基枠は、前記食器支持部における前記第１支持部材と前記第２支持部材との間に位置して前記第１支持部材に向かう前記第２支持部材の移動を解除自在に規制する規制部を備えることを特徴とする請求項２記載の食器洗浄乾燥機。
【発明の詳細な説明】
【技術分野】
【０００１】
本発明は、食器かごにより洗浄槽内に食器類を支持して食器類の洗浄及び乾燥を行う食器洗浄乾燥機に関する。
【背景技術】
【０００２】
食器洗浄乾燥機の洗浄槽の内部には、食器類を載置する食器かごが設けられている。この種の食器かごは、食器類を所定の姿勢で支持するための複数の支持ピンを備えている。各支持ピンは、食器かごの基枠に起立した状態で固定されており、食器形状に応じて高さや形状に形成されている。
【０００３】
ところで、例えば、皿を支持するための支持ピンは起立した状態で比較的高い位置まで延びている。このため、皿を洗浄しない場合にそのスペースを利用して鍋やボール等の大型の容器を洗浄しようとしても、支持ピンが邪魔になって、鍋やボール等の大型の容器が収容できない不都合があった。
【０００４】
そこで、皿用の支持ピンを起立姿勢と横倒姿勢とで回動自在に基枠に設けることにより、皿を洗浄しない場合はそのスペースを利用して鍋やボール等の大型の容器を洗浄することができるようにしたものが提案されている（例えば、下記特許文献参照）。
【０００５】
このものでは、所定間隔を存して水平方向に配設された支持ピンが左右一対として設けられ、皿を支持する場合には支持ピンを起立姿勢とし、皿を支持しない場合には起立姿勢の支持ピンを回動させて横倒姿勢にすることで、横倒姿勢の支持ピン上に鍋やボール等の大型の容器の載置スペースを形成されるようになっている。
【先行技術文献】
【特許文献】
【０００６】
【特許文献１】特開２００４−４１６８６号公報
【発明の概要】
【発明が解決しようとする課題】
【０００７】
しかし、支持ピンが回動自在に設けられていると、食器類を支持させる際に支持ピンに食器類が接触した場合等に、支持ピンが不用意に倒れてしまい、支持ピンに食器類をセットする作業が円滑に行えなくなる不都合がある。
【０００８】
また、左右一対の支持ピンが互いに突き当る向きに横倒するようになっているため、倒れている途中で対向する支持ピン同士が干渉し、円滑に横倒姿勢にならない不都合がある。
【０００９】
上記の点に鑑み、本発明は、支持ピンの不用意な回動を防止して支持ピンが起立姿勢となった状態を確実に維持することができると共に支持ピンを円滑に横倒姿勢とすることができる食器かごを備える食器洗浄乾燥機を提供することを目的とする。
【課題を解決するための手段】
【００１０】
かかる目的を達成するために、本発明は、洗浄槽と、該洗浄槽の内部に設けて食器類を載置する食器かごとを備える食器洗浄乾燥機において、前記食器かごは、前記洗浄槽に収容される基枠と、食器類を所定の姿勢で支持する食器支持部とを備え、前記食器支持部は、第１支持部材と、該第１支持部材に対向する第２支持部材と、前記第１支持部材と前記第２支持部材とを連結するリンク部材とを備え、前記第１支持部材は、起立状態で食器類に当接して支持する複数の第１支持ピンと、各第１支持ピンを一体に連結して水平方向に延びる第１連結基部とを備え、前記第２支持部材は、起立状態で食器類に当接して支持する複数の第２支持ピンと、各第２支持ピンを一体に連結して水平方向に延びる第２連結基部とを備え、前記リンク部材は、前記第１連結基部に固定されて前記第２支持部材に向かって延びる第１アーム部と、前記第２連結基部に固定されて前記第１支持部材に向かって延びる第２アーム部と、前記第１アーム部と前記第２アーム部とをその境界で屈伸自在に連結するヒンジ部とを備え、前記第１アーム部と前記第２アーム部とが前記ヒンジ部を介して山折り状に屈曲することにより前記第１支持ピンと前記第２支持ピンとが互いに離反する方向に横倒することを特徴とする。
【００１１】
本発明における食器洗浄乾燥機の食器かごは、食器支持部の第１支持部材と第２支持部材とがリンク部材により連結されている。リンク部材は、第１支持部材の第１連結基部に固定された第１アーム部と第２支持部材の第２連結基部に固定された第２アーム部とをヒンジ部を介して屈伸自在に連結することにより構成される。
【００１２】
上記構成のリンク部材によって、起立状態の第１支持ピンが第２支持部材から離反する方向に倒れると、それに連動して第２支持ピンも第１支持部材から離反する方向に倒れる。横倒状態の第１支持ピンを起立させると、それに連動して第２支持ピンも起立する。これにより、第１支持ピンと第２支持ピンとの何れか一方を横倒させるだけで、一挙動で第１支持ピンと第２支持ピンとを共に横倒させることができるので、第１支持ピン及び第２支持ピンの回動操作が容易である。しかも、第１支持ピンと第２支持ピンとが互いに離反する方向に回動して横倒状態となるので、倒れ途中の第１支持ピンと第２支持ピンとが互いに干渉することがない。
【００１３】
更に、第１支持ピン及び第２支持ピンが各連結基部を軸として回動するとき、第１アーム部と第２アーム部とがヒンジ部を介して屈伸するので、第１支持ピンと第２支持ピンとが各々単独で（連動することなく）回動する構成である場合に比べて回動し難い。
【００１４】
以上により、本発明の食器洗浄乾燥機が備える食器かごは、支持ピンの不用意な回動を防止して支持ピンが起立姿勢となった状態を確実に維持することと、支持ピンを円滑に横倒姿勢とすることとを両立させることができる。
【００１５】
また、本発明において、前記基枠は、前記第１連結基部を前記第１支持ピンが起立する位置と横倒する位置との間で回動自在に支持する軸受部を備えることが好ましい。これにより、前記第１連結基部を軸として前記第１支持ピンを前記第２支持ピンから離反する方向に横倒させたとき、前記第１アーム部と前記第２アーム部とが前記ヒンジ部を介して山折り状に屈曲して前記第２支持部材が前記第１支持部材に近接する方向に移動しつつ前記２支持ピンが前記第１支持ピンから離反する方向に横倒する。
【００１６】
第１支持部材の第１連結基部が基枠の軸受部に支持されることで、第１支持部材の第１支持ピンの回動が定位置で行われ、食器支持部の不用意な動きが防止されるので、各支持ピンの回動操作を精度よく行うことができ、食器を確実に所定の位置に支持することができる。
【００１７】
このとき、前記基枠は、前記食器支持部における前記第１支持部材と前記第２支持部材との間に位置し、前記第１支持部材に向かう前記第２支持部材の移動を解除自在に規制することにより第１支持ピン及び第２支持ピンの起立状態を維持させる規制部を備えることが好ましい。
【００１８】
第１支持ピンと第２支持ピンとが互いに離反する方向に横倒するとき、第２支持部材が第１支持部材に向かって移動する。そこで、第１支持部材に向かう第２支持部材の移動を規制する規制部を設けることにより、第１支持ピン及び第２支持ピンの横倒方向への不用意な回動を一層確実に防止することができる。
【図面の簡単な説明】
【００１９】
【図１】本発明の実施形態の食器洗浄乾燥機の構成を模式的に示す説明図。
【図２】本実施形態の食器支持部の第１支持ピンと第２支持ピンとが起立姿勢となった状態の食器かごを示す斜視図。
【図３】本実施形態の食器支持部を示す斜視図。
【図４】本実施形態の食器支持部の第１支持ピン及び第２支持ピンによる食器の支持状態を示す図。
【図５】本実施形態の食器支持部の第１支持ピンと第２支持ピンとが横倒姿勢となった状態の食器かごを示す斜視図。
【図６】起立姿勢の第１支持ピン及び第２支持ピンを示す図。
【図７】第１支持ピン及び第２支持ピンを横倒させる途中の状態を示す図。
【図８】横倒姿勢の第１支持ピン及び第２支持ピンを示す図。
【発明を実施するための形態】
【００２０】
本発明の実施形態を図面に基づいて説明する。図１に示す本実施形態の食器洗浄乾燥機１は、システムキッチンに組み込んで設置されるビルトイン式のものであり、食器洗浄乾燥機１の筐体２は、前方（図１における左側）が開放されていてその内部に洗浄槽３を出し入れ自在に収容している。
【００２１】
洗浄槽３内には、洗浄水を噴出する洗浄ノズル４が設けられており、洗浄槽３の背面側には洗浄槽３内の食器を乾燥させるための乾燥用空気を導入する乾燥ダクト５及び乾燥ファン６が設けられている。
【００２２】
更に、洗浄槽３の底部には、洗浄槽３内に残菜フィルタ７を介して連通する洗浄水の溜り部８が設けられている。洗浄槽３の底部下側には、溜り部８に連通する洗浄・排水ポンプ９が設置されている。洗浄・排水ポンプ９は、正転させたときに洗浄ノズル４に洗浄水を供給し、逆転させたときに洗浄槽３からの排水を行う。
【００２３】
洗浄槽３には、食器を支持するための食器かご１０が載置された状態で収容されている。前記洗浄ノズル４は、食器かご１０より下方に位置して水平方向に長手の下ノズル１１と、下ノズル１１の長手方向中央部に立設されたセンターノズル１２とにより構成されている。
【００２４】
下ノズル１１は、その長手方向中央部で鉛直軸線回りに旋回しつつ食器かご１０に向けて洗浄水を噴出する。下ノズル１１の旋回は、洗浄・排水ポンプ９から供給される洗浄水の噴出反力によって駆動される。
【００２５】
センターノズル１２は下ノズル１１と一体に回動する下半部１２ａと、この下半部１２ａに上下動自在に挿設された上半部１２ｂとで構成されている。洗浄・排水ポンプ９から洗浄水が供給されたとき、センターノズル１２は下ノズル１１と共に旋回しつつ水圧によって上半部１２ｂが上方にのびるようになっている。そして、センターノズル１２の下半部１２ａ及び上半部１２ｂから食器かご１０に向けて洗浄水が噴出される。
【００２６】
ここで、食器かご１０について詳細に説明する。食器かご１０は、図２に示すように、樹脂コーティングを施した金属製線材によって形成された基枠１３と、基枠１３に設けられた複数の食器支持部（大皿支持部１４、小皿支持部１５、茶碗類支持部１６）と、箸やスプーン等を収容する小物立て部１７とを備えている。食器かご１０の中央部は、図１に示すように、センターノズル１２が挿通するようになっている。
【００２７】
大皿支持部１４は、本発明の食器支持部に相当するものであり、図２及び図３に示すように、第１支持部材１８と、第２支持部材１９と、両支持部材１８，１９を繋ぐ一対のリンク部材２０とを備えている。
【００２８】
第１支持部材１８は、複数（本実施形態では５つ）の第１支持ピン２１と、各第１支持ピン２１の下端を連結する回動軸部２２とによって構成されている。
【００２９】
第２支持部材１９は、第１支持部材１８と左右対称形状とされて第１支持部材１８に対向する。即ち、第２支持部材１９は、複数（第１支持ピン２１と同数）の第２支持ピン２３と、各第２支持ピン２３の下端を連結する棒状の連結基部２４とによって構成されている。
【００３０】
なお、第１支持部材１８の回動軸部２２は、本発明における第１連結基部に相当するものであり、第２支持部材１９の連結基部２４は、本発明における第２連結基部に相当するものである。
【００３１】
両リンク部材２０は、夫々、基端が第１支持部材１８の回動軸部２２の長手方向端部に固設された第１アーム部２５と、基端が第２支持部材１９の連結基部２４の長手方向端部に固設された第２アーム部２６と、第１アーム部２５の先端（回動軸部２２の反対側の端部）と第２アーム部２６の先端（連結基部２４と反対側の端部）とを連結するヒンジ部２７とによって構成されている。
【００３２】
基枠１３と同様に、第１支持部材１８、第２支持部材１９、及びリンク部材２０は、何れも樹脂コーティングを施した金属製線材（断面視が円形のもの）によって形成されている。
【００３３】
大皿支持部１４の各支持ピン（第１支持ピン２１及び第２支持ピン２３）は、図４に示すように、大皿Ｗａ（食器類）を支持する。第１支持ピン２１及び第２支持ピン２３は、図２に示すように、小皿支持部１５が備えている小皿支持ピン２８や茶碗類支持部１６が備えている茶碗支持ピン２９よりも長く高い位置まで延びている。
【００３４】
図２及び図３に示すように、第１支持部材１８の回動軸部２２は、基枠１３に設けられた軸受部３０に回動自在に支持されている。一方、第２支持部材１９の連結基部２４は、基枠１３から離反自在に設けられており、自重で基枠１３上に着座した状態となっている。
【００３５】
リンク部材２０の第１アーム部２５は、回動軸部２２の軸線に対して直交する方向であって、第１支持ピン２１に対して所定の角度を存して第２支持部材１９に向かって延びている。
【００３６】
リンク部材２０の第２アーム部２６は、連結基部２４の軸線に対して直交する方向であって、第２支持ピン２３に対して所定の角度を存して第１支持部材１８に向かって延びている。
【００３７】
基枠１３は、一方のリンク部材２０に下方から当接する当接部３１を備えている。当接部３１は、第１支持ピン２１及び第２支持ピン２３が所定の起立姿勢（図４に示すように大皿Ｗａを最適に支持することができる姿勢）となったとき、一方のリンク部材２０のヒンジ部２７又はその近傍に当接する。当接部３１に当接したリンク部材２０は、ヒンジ部２７を介して第１アーム部２５と第２アーム部２６とが谷折り状に屈曲することが防止される。これにより、第１支持ピン２１及び第２支持ピン２３が所定の起立姿勢から互いに近接する方向に倒れることがない。
【００３８】
また、基枠１３は、第１支持部材１８と第２支持部材１９との間に突出して第２支持部材１９の連結基部２４に当接することにより、第２支持部材１９が第１支持部材１８に近接する方向に水平移動することを規制する規制部３２を備えている。規制部３２が第２支持部材１９の移動を規制していることにより、第１支持ピン２１及び第２支持ピン２３の起立姿勢が確実に維持される。
【００３９】
更に、大皿支持部１４は、大皿Ｗａを支持していない状態のとき、図５に示すように、第１支持ピン２１及び第２支持ピン２３を横倒させることで、大皿支持部１４の上部に空間を確保することができるようになっている。横倒姿勢となった第１支持ピン２１及び第２支持ピン２３により大皿支持部１４の上部に形成された空間には、図示しないボールや小鍋等の他の容器を載置することができる。
【００４０】
第１支持ピン２１及び第２支持ピン２３は、極めて簡単な操作で横倒姿勢とすることができる。即ち、先ず、図６に示すように第１支持ピン２１及び第２支持ピン２３が所定の起立姿勢となっている状態から、図７に示すように第２支持部材１９を持ち上げて基枠１３から上方に離反させる。これにより、規制部３２が第２支持部材１９の連結基部２４の移動を規制した状態が解除され、第２支持部材１９を第１支持部材１８に近接させることが可能となる。
【００４１】
更にこのとき、規制部３２の上方に移動した連結基部２４の一端部が大皿支持部１４に隣接して設けられた縦枠部３３に当接してこれ以上の上動が規制される。これにより、ヒンジ部２７が谷折り方向に屈曲することが防止され、第２支持ピン２３が第１支持ピン２１側に倒れることを確実に防止することができる。
【００４２】
次いで、図７に示すように、リンク部材２０の第１アーム部２５及び第２アーム部２６をヒンジ部２７を介して屈曲させつつ第２支持部材１９を第１支持部材１８に近接させる。これにより、第１支持ピン２１は、回動軸部２２を軸として回動して外側に向かって倒れ、基枠１３上で水平な横倒姿勢となる。
【００４３】
続いて、リンク部材２０の第１アーム部２５及び第２アーム部２６をヒンジ部２７を介して山折り状に屈曲させ、第２支持部材１９の連結基部２４を規制部３２と第１支持部材１８との間に着座させる。
【００４４】
そして、第２支持部材１９の持ち上げ状態を解除すると、第２支持ピン２３の先端部（連結基部２４と反対側）が第１支持ピン２１の先端部（回動軸部２２と反対側）から離反する方向に回動して倒れ、図８に示すように、第２支持ピン２３が基枠１３上で水平な横倒姿勢となる。以上の操作により、図５に示すように、第１支持ピン２１及び第２支持ピン２３が横倒姿勢となり、大皿支持部１４の上部に空間を形成することができる。
【符号の説明】
【００４５】
１…食器洗浄乾燥機、３…洗浄槽、Ｗａ…大皿（食器類）、１０…食器かご、１３…基枠、１４…大皿支持部（食器支持部）、１８…第１支持部材、１９…第２支持部材、２０…リンク部材、２１…第１支持ピン、２２…回動軸部（第１連結基部）、２３…第２支持ピン、２４…連結基部（第２連結基部）、２５…第１アーム部、２６…第２アーム部、２７…ヒンジ部、３０…軸受部、３２…規制部。
【図１】
0006502771.tif 000002
【図２】
0006502771.tif 000003
【図３】
0006502771.tif 000004
【図４】
0006502771.tif 000005
【図５】
0006502771.tif 000006
【図６】
0006502771.tif 000007
【図７】
0006502771.tif 000008
【図８】
0006502771.tif 000009